(57)【要約】      （修正有）【課題】姿勢変換部において紙幣に皺が発生せずに円滑に姿勢が変換されて紙幣排出部を円滑に通過できる姿勢変換装置を提供する。【解決手段】縦の姿勢で搬送されてくる紙幣を姿勢変換部に受け入れる、近接して配置されたローラと第１プーリとから成る紙幣受入部と、第１プーリと第２プーリの間に掛け回され、第２プーリ側が９０度捻られている搬送ベルト、前記紙幣受入部に受け入れられる紙幣の縦の姿勢を搬送ベルトと協働して姿勢を横に変える姿勢変換ガイドとから成る姿勢変換部と、姿勢変換部により横の姿勢に変換された紙幣を排出口まで案内する上下一対の湾曲ガイドと、紙幣を前記排出口まで搬送する搬送手段とから成る紙幣排出部と、第１プーリ又は第２プーリおよび搬送手段の駆動部とからなる姿勢変換装置において、姿勢変換部の姿勢変換ガイドの搬送方向後半における幅方向中央に、搬送される紙幣を幅方向両側方向に展延させる突出部を設けた。【選択図】図６
2014149702.tif 000002
【特許請求の範囲】
【請求項１】
紙幣受入部と、姿勢変換部と、紙幣排出部と、駆動部とを有し、
前記紙幣受入部は、縦の姿勢で搬送されてくる紙幣を挟持して前記姿勢変換部に受け入れるものであって、垂直軸周りに回転され、かつ、近接して配置されたローラと第１プーリから成り、
前記姿勢変換部は、前記第１プーリと、その第１プーリから紙幣の長辺の長さとほぼ等しい距離に設けられ、水平軸周りに回転される第２プーリと、第１プーリと第２プーリの間に掛け回され、第２プーリ側が９０度捻られている搬送ベルトと、前記ローラの第１プーリの至近位置から第２プーリの至近位置まで搬送ベルトに近接して、かつ、搬送ベルトに沿って延在して、前記紙幣受入部に受け入れられる紙幣の縦の姿勢を前記搬送ベルトと協働して搬送ベルトから離れる紙幣の姿勢を横に変える姿勢変換ガイドとから成り、
前記紙幣排出部は、前記姿勢変換部により横の姿勢に変換された紙幣を前記第２プーリの下側の所定の位置に設けられた排出口か排出するものであって、前記姿勢変換部の末端から送り出される紙幣を前記排出口まで案内する上下一対の湾曲ガイドと、その湾曲ガイドにより案内される紙幣を前記排出口まで搬送する搬送手段とから成り、
前記駆動部は、前記第１プーリ又は第２プーリおよび前記搬送手段を所定方向に回転駆動させるものである姿勢変換装置において、
前記姿勢変換部の姿勢変換ガイドの紙幣搬送方向後半部における幅方向中央に、搬送ベルトにより搬送される紙幣を幅方向両側方向に展延させる突出部を設けたこと、
を特徴とする姿勢変換装置。
【請求項２】
請求項１に記載の紙幣の姿勢変換装置において、前記姿勢変換部の姿勢変換ガイドに、前記搬送ベルトに接して従動回転する押えローラを設けたことを特徴とする姿勢変換装置。
【請求項３】
請求項１又は２に記載の紙幣の姿勢変換装置において、前記紙幣排出部の搬送手段は、前記第２プーリと前記排出口までの間に適宜間隔を置いて配設された複数対の送りローラと押えローラからなる搬送ローラで構成され、前記排出口側に近い搬送ローラほど搬送速度が大きく設定されていることを特徴とする姿勢変換装置。
【請求項４】
請求項１，２又は３に記載の紙幣の姿勢変換装置において、前記紙幣受入部と、前記姿勢変換部と、前記紙幣排出部と、前記駆動部とを一つのフレームに取付けてユニット化されていることを特徴とする姿勢変換装置。
【発明の詳細な説明】
【技術分野】
【０００１】
本発明は、搬送される紙幣(小切手等を含む。以下同じ。)の姿勢を縦から横に変換する姿勢変換装置に関する。
【背景技術】
【０００２】
一例を挙げると、複数台の遊技機と台間遊技媒体貸出機が隣接して設置されている遊技島においては、遊技客が台間遊技媒体貸出機に挿入した紙幣を、各台間遊技媒体貸出機から紙幣搬送路に取り込み、紙幣搬送装置を介して遊技島の端部まで搬送し、紙幣搬送路の終端から遊技島の端部に設置されている金庫に収納するように構成されている。
【０００３】
一般的には、台間遊技媒体貸出機および紙幣搬送装置の幅を可及的に薄くするため、台間遊技媒体貸出機では遊技者に紙幣を紙幣挿入口に縦の姿勢（短辺が垂直、長辺が水平の姿勢）で挿入させ、紙幣搬送装置はその挿入された紙幣をそのまま縦の姿勢で搬送している。
【０００４】
しかし、紙幣搬送路の終端まで搬送されてきた紙幣を縦の姿勢のまま金庫に水平方向に重ねて収納すると、金庫の奥行寸法が大きくなり、設置スペースの確保が困難となるので、紙幣を横の姿勢(短辺も長辺も水平の姿勢)で垂直方向に積み重ねて収納する縦積み型の金庫が使用されている。従って、紙幣搬送路の終端において紙幣の姿勢を縦から横に変換する姿勢変換装置が必要である。
【０００５】
小切手の白地用紙(小切手用紙)にプリンタにより所定の事項を印刷して小切手を発行する小切手印刷装置においても、小切手用紙を縦に整列させているマガジンから印刷部に搬送する際に、マガジンから送り出される小切手用紙の姿勢を縦から横に変換するため姿勢変換装置を用いる場合がある。
【０００６】
従来のこの種の姿勢変換装置は、搬送ローラとガイド板の組合せ、搬送ローラと搬送ベルトの組合せ、あるいは搬送ベルトとガイド板の組合せ等で構成されていた(特許文献１)が、構成部材数が非常に多い、組立も容易でない、姿勢変換に要する距離が紙幣の長さよりも長い、製造コストが高くつく、メンテナンスが容易でない等の問題点があった。
【０００７】
そこで、本出願人は、構成部材数の削減、組立容易化、 紙幣の長さと余り違わない距離の中での紙幣の姿勢変換が可能な姿勢変換装置を提供することを目的として、次のような姿勢変換装置を特許文献２において提案した。
その姿勢変換装置は、(ａ)紙幣受入部と、姿勢変換部と、紙幣排出部と、駆動部とを有し、(ｂ)紙幣受入部は、縦の姿勢で搬送されてくる紙幣を挟持して姿勢変換部に受け入れるものであって、垂直軸周りに回転され、かつ、近接して配置されたローラと第１プーリからなり、(ｃ)姿勢変換部は、第１プーリと、その第１プーリから紙幣の長辺の長さとほぼ等しい距離に設けられ、水平軸周りに回転される第２プーリと、第１プーリと第２プーリの間に掛け回され、第２プーリ側が９０度捻られている搬送ベルトと、前記ローラの第１プーリの至近位置から第２プーリの至近位置まで搬送ベルトに近接して、かつ、搬送ベルトに沿って延在して、紙幣受入部から受け入れられる紙幣をガイドして搬送ベルトと協働して搬送される紙幣の姿勢を縦から横に変える姿勢変換ガイドとからなり、(ｄ)紙幣排出部は、姿勢変換部により横の姿勢に変換された紙幣を第２プーリの下側の所定の位置に設けられた排出口から金庫に向かって排出するものであって、姿勢変換部の末端から送り出される紙幣を排出口まで案内する上下一対の湾曲ガイドと、その湾曲ガイドにより案内される紙幣を排出口まで搬送する搬送手段とからなり、(ｅ)駆動部は、第１プーリ又は第２プーリ及び搬送手段を所定方向に回転駆動させるものであることを特徴とする。
【先行技術文献】
【特許文献】
【０００８】
【特許文献１】特許第３８０６７８８号公報
【特許文献２】特開２０１２−６６９１６公報
【発明の概要】
【発明が解決しようとする課題】
【０００９】
しかしながら、上記提案に係る姿勢変換装置は、姿勢変換部が、垂直軸周りに回転される第１プーリと、その第１プーリから紙幣の長辺の長さとほぼ等しい距離に設けられ、水平軸周りに回転される第２プーリと、第１プーリと第２プーリの間に掛け回され、９０度捻られている搬送ベルトと、第１プーリの至近位置から第２プーリの至近位置まで搬送ベルトに近接して、かつ、搬送ベルトに沿って延在して、紙幣受入部から受け入れられる紙幣の姿勢を搬送ベルトと協働して縦から横に変える姿勢変換ガイドとからなるものであるため、搬送ベルトと姿勢変換ガイドとによって紙幣の姿勢を縦から横に９０度変換される過程において搬送ベルトから紙幣に加わる搬送力および姿勢変換ガイドから紙幣に加わる摩擦力が紙幣の幅方向の左側と右側とで異なる。そのため、紙幣にその幅方向両端部を紙幣の中央側方向に寄せる力が加わり、紙幣が姿勢変換部から出るまでの間に紙幣の幅方向の少なくとも一端側に長さ方向に延びる皺(縦皺)が発生する場合がある。このような縦皺が発生すると、紙幣排出部での湾曲の際に皺の部分の腰が強化されて、湾曲終了後に曲がり癖が残り、紙幣排出部を円滑に通過できなかったり、金庫に適正な姿勢で収容されなかったり、収容されても嵩張る、などの新たな問題が発生した。
【００１０】
本発明は、上記の問題点に鑑みてなされたものであり、姿勢変換部において紙幣に皺が発生せずに円滑に姿勢が変換されて紙幣排出部を円滑に通過できる姿勢変換装置を提供することを目的とする。
【課題を解決するための手段】
【００１１】
上記課題を解決するため、本発明は、(ａ)紙幣受入部と、姿勢変換部と、紙幣排出部と、駆動部とを有し、(ｂ)紙幣受入部は、縦の姿勢で搬送されてくる紙幣を挟持して姿勢変換部に受け入れるものであって、垂直軸周りに回転され、かつ、近接して配置されたローラと第１プーリからなり、(ｃ)姿勢変換部は、第１プーリと、その第１プーリから紙幣の長辺の長さとほぼ等しい距離に設けられ、水平軸周りに回転される第２プーリと、第１プーリと第２プーリの間に掛け回され、第２プーリ側が９０度捻られている搬送ベルトと、ローラの第１プーリの至近位置から第２プーリの至近位置まで搬送ベルトに近接して、かつ、搬送ベルトに沿って延在して、紙幣受入部から受け入れられる紙幣の姿勢を搬送ベルトと協働して縦から横に変える姿勢変換ガイドとからなり、(ｄ)紙幣排出部は、姿勢変換部により横の姿勢に変換された紙幣を第２プーリの下側の所定の位置に設けられた排出口から金庫に向かって排出するものであって、姿勢変換部の末端から送り出される紙幣を排出口まで案内する上下一対の湾曲ガイドと、その湾曲ガイドにより案内される紙幣を排出口まで搬送する搬送手段とからなり、(ｅ)駆動部は、第１プーリ又は第２プーリ及び搬送手段を所定方向に回転駆動させるものである姿勢変換装置において、（ｆ)姿勢変換部の姿勢変換ガイドの紙幣搬送方向後半部における幅方向中央に、搬送ベルトにより搬送される紙幣を幅方向両側方向に展延させる突出部を設けたことを特徴とする。
【００１２】
上記構成により、姿勢変換部において９０度捻られている搬送ベルトにより姿勢変換ガイドに沿って搬送される紙幣は、姿勢変換ガイドの紙幣搬送方向前半部において、幅方向両側部分に幅方向中央方向の力を受けるが、姿勢変換ガイドの紙幣搬送方向後半部においては、幅方向中央に突出部が設けられているので、紙幣は突出部によってその幅方向中央部分が幅方向両側方向に展延される。したがって、紙幣の幅方向両端部に皺が発生しないか、発生した皺が減少される。したがって、紙幣は平滑状態を維持するので、紙幣排出部を円滑に通過することができ、金庫に嵩張ることなく整然と収納される。
【００１３】
姿勢変換ガイドの紙幣搬送方向後半部の突出部を除いた部分における搬送ベルトとの間の間隔を姿勢変換ガイドの紙幣搬送方向前半部における搬送ベルトとの間の間隔よりも大きくし、突出部における搬送ベルトとの間の間隔を紙幣搬送方向前半部における搬送ベルトとの間の間隔と等しくすることが好ましい。
【００１４】
上記構成により、姿勢変換ガイドの紙幣搬送方向前半部においては搬送ベルトの搬送力が紙幣に確実に加えられるが、紙幣搬送方向後半部においては紙幣の幅方向両端部に加えられる搬送力が弱くなるか、切られる。したがって、紙幣搬送方向後半部を搬送される紙幣の幅方向両端部に皺が発生する可能性が低くなるか、なくなる。したがって、紙幣は平滑状態を維持するので、紙幣排出部をより円滑に通過することができ、また、金庫に嵩張ることなく整然と収納される。
【発明の効果】
【００１５】
本発明によれば、紙幣が姿勢変換部において姿勢を変換する際に皺を発生せず紙幣排出部を円滑に通過することができる姿勢変換装置を提供することができる。
【図面の簡単な説明】
【００１６】
【図１】本発明に係る姿勢変換装置の紙幣搬送装置および金庫に対する位置関係の一例を示す概念図である。
【図２】図１の主として姿勢変換装置および金庫の右側面図である。
【図３】図２の紙幣搬送装置を取り除いた状態の正面図である。
【図４】図３の姿勢変換装置および金庫の左側面図である。
【図５】図２の姿勢変換装置のみを抽出して右側から見た斜視図である。
【図６】図５の姿勢変換装置を左側から見た斜視図である。
【図７】図５の姿勢変換装置の正面図である。
【図８】図７の姿勢変換装置の平面図である。
【図９】図７の姿勢変換装置の右側面図である。
【図１０】図７の姿勢変換装置の左側面図である。
【図１１】姿勢変換ガイドの右側面図である。
【図１２】図１１の姿勢変換ガイドの形状を示すものであり、（ａ）は正面図、（ｂ）はＢ−Ｂ線断面図、（ｃ）はＥ−Ｅ線断面図、（ｄ）はＧ−Ｇ線断面図、（ｅ）はＪ−Ｊ線断面図である。
【図１３】従来の姿勢変換装置における姿勢変換ガイドの形状を示す右側面図である。
【発明を実施するための形態】
【００１７】
続いて、本発明の一実施の形態について図面を参照しながら説明する。
【００１８】
図１に例示するように、本発明に係る姿勢変換装置Ａは、例えば、遊技島の台間遊技媒体貸出機から挿入される紙幣を縦の姿勢で遊技島の端部まで搬送する紙幣搬送装置Ｂの末端から送り出される紙幣Ｎを受入れ、その紙幣の姿勢を縦から横に変換して、姿勢変換装置Ａの下側に設けられた金庫Ｃの上面開口に向けて斜め下方に排出するものである。
【００１９】
本発明に係る姿勢変換装置Ａは、例えば、小切手発行装置において、マガジンから送り出される小切手用紙の姿勢を縦から横に変換するためにも用いることができる。
【００２０】
姿勢変換装置Ａは、基本的構成要素として、紙幣受入部１０と、姿勢変換部２０と、紙幣排出部３０と、駆動部４０とを有している。なお、図６〜図１０においては、各部１０,２０,３０の構成を明示するため、これらの各部を支持するフレーム（又はハウジング）の図示を省略してある。
【００２１】
紙幣受入部１０は、図１の紙幣搬送装置Ｂの末端から縦の姿勢で搬送されてくる紙幣Ｎを挟持して姿勢変換部２０に受け入れるためのものである。紙幣受入部１０は、いずれも垂直軸周りに回転され、かつ、近接して配置された押えローラ１１と第１プーリ１２とから成っている。押えローラ１１は、第１プーリ１２に向けて弾力的に押圧されている押えローラである。第１プーリ１２には、後述される無端の搬送ベルト２２が巻回されていて、所定方向に回転されるので、押えローラ１１は実際は搬送ベルト１２に当接して、紙幣搬送装置Ｂの末端から縦の姿勢で送り出される紙幣Ｎは、押えローラ１１と搬送ベルト２２の間に受け入れられるようになっている。
【００２２】
姿勢変換部２０は、紙幣受入部１０から受け入れられる紙幣Ｎの縦の姿勢を搬送しながら横の姿勢に変換するものである。姿勢変換部２０は、前記第１プーリ１２と、その第１プーリ１２から紙幣搬送装置Ｂによる紙幣搬送方向延長上に紙幣の長辺の長さとほぼ等しい距離を隔てた位置に設けられ、水平軸周りに回転される第２プーリ２１と、第１プーリ１２と第２プーリ２１の間に掛け回され、第２プーリ２１側が前記押えローラ１１と反対側に９０度捻られている前記搬送ベルト２２とを有する。
【００２３】
搬送ベルト２２は、紙幣の片面に対して接触摩擦力を作用する程度の粘度と弾性を備えた材料、例えば、ウレタンゴムで形成されている。
【００２４】
また、姿勢変換部２０は、押えローラ１１の第１プーリ１２の至近位置から第２プーリ２１の至近位置まで搬送ベルト２２に沿って延在して、搬送ベルト２２との間に一定の距離を持って近接して設けられ、搬送ベルト２２と協働して紙幣受入部１０から受け入れられる紙幣の縦の姿勢を搬送ベルト２２から離れるまでの間に横の姿勢に変える姿勢変換ガイド２３を有している。姿勢変換ガイド２３は、回転される搬送ベルト２２と姿勢変換ガイド２３により第１プーリ１２から第２プーリ２１の方向に搬送される紙幣が上方に飛び出さないように、搬送ベルト２２の上側を被覆するように延在していることが望ましい。
【００２５】
第１プーリ１２から第２プーリ２１までの距離が紙幣の長さよりも短い場合は、必ずしも必要ではないが、第１プーリ１２から第２プーリ２１までの距離が紙幣の長さとほぼ等しい場合、あるいは、紙幣の長さよりもやや大きい場合は、姿勢変換ガイド２３の第２プーリ２１に近い位置に、回転される搬送ベルト２２と姿勢変換ガイド２３により搬送される紙幣をその搬送ベルト２２に押圧する押えローラ２４を設けることにより、紙幣が確実に搬送されるようにすることが望ましい。
【００２６】
紙幣受入部１０から受け入れられた紙幣は、その片面に回転される搬送ベルト２２から搬送力が加えられ、反対側の片面がツイストされている姿勢変換ガイド２３によりツイストされている搬送ベルト２２に沿って案内されるため、ツイスト搬送される紙幣の姿勢が、搬送ベルト２２の第２プーリ２１に巻回されている部分に到達した時には横の姿勢になり、その搬送ベルト２２から第２プーリ２１の接線方向に離れようとする。
【００２７】
姿勢変換部２０により縦から横の姿勢に変換された紙幣は、紙幣排出部３０により第２プーリの下方に変向され、姿勢変換部２０の下側の所定の位置に設けられた排出口３４から金庫Ｃの上面開口に向けて斜め下方に排出されるようになっている。
【００２８】
紙幣排出部３０は、姿勢変換部２０の末端から送り出される紙幣、すなわち、搬送ベルト２２から第２プーリ２１の接線方向に離れようとする紙幣を前記排出口３４まで案内する上下一対の湾曲ガイド３１，３２と、その湾曲ガイドにより案内される紙幣を前記排出口３４まで搬送する搬送手段３３とから成っている。
【００２９】
搬送手段３３は、図示の例では、湾曲ガイド３１,３２の中間位置の搬送面において当接するように上下対設された送りローラ３３aと、押えローラ３３bとからなる搬送ローラで構成されている。搬送ローラ３３は、第２プーリ２１から排出口３４までの距離に応じて１組又は搬送方向に隔てて複数組設ければよい。
【００３０】
搬送ローラ３３は、搬送方向に隔てて複数組設け、排出口３４に近いものほど搬送速度を大きくすることが望ましい。排出口３４に近いものほど搬送速度を大きくすることにより、紙幣排出部３０内を搬送される紙幣を徐々に緊張させて、紙幣のヘタリや皺や曲がりを防止できるばかりでなく、姿勢変換部２０において加わる可能性のある曲げ応力が解消されるので、排出口３４から皺や曲がりの少ない紙幣を排出することができる。
【００３１】
搬送手段３３は、搬送ローラに代えて搬送ベルトを用いても良い。
【００３２】
上記各部、すなわち、紙幣受入部１０、姿勢変換部２０、紙幣排出部３０の可動部である第１プーリ１２、搬送ベルト２２、搬送手段３３は、共通の駆動部４０を用いて回転駆動される。駆動部４０は、動力源であるモータ（図示省略)の回転力をプーリp、伝動ベルトb、歯車g等の既知の伝動手段を介して、第１プーリ１２又は第２プーリ２１および搬送手段３３に伝達して、これらを所定の方向に回転させるように構成されている。
【００３３】
以上の構成により、紙幣受入部１０から縦の姿勢で受入れられた紙幣Ｎは、姿勢変換部２０により紙幣の長さとほぼ等しい距離の中でツイスト搬送されて横の姿勢に変換され、紙幣排出部３０により下方に変向された後、排出口３４から横の姿勢で排出される。従って、排出口３４の下側に上面開口の金庫Ｃを設置することができ、設置スペースの確保が容易である。
【００３４】
また、紙幣排出部３０の搬送ローラ(３３）を、搬送方向に隔てて複数組設け、排出口３４に近いものほど搬送速度を大きくした場合は、排出口３４から皺や曲がりの少ない紙幣Ｎを排出することができるので、金庫の所定位置に正確に、かつ、嵩張らずに収納が可能である。
【００３５】
さらに、本発明の姿勢変換装置は、紙幣受入部から紙幣排出部まで紙幣搬送路が連続しているので、複数枚の紙幣が重なって、あるいは、多少ずれてきた場合でも、支障なく金庫まで搬送することができ、途中でジャムする虞がない。
【００３６】
上述したように、紙幣受入部１０と、姿勢変換部２０と、紙幣排出部３０と、駆動部４０とを図７〜９に例示するように、一つのフレームあるいはハウジングに取付けてユニット化することが望ましい。このようにユニット化した場合は、紙幣の姿勢変換装置Ａを紙幣搬送装置Ｂと金庫Ｃの間の所定位置に容易に着脱することができるとともに、メンテナンスを容易に行うことができる。
【００３７】
ところで、姿勢変換部２０内を搬送される紙幣Ｎは捻じれているため、搬送ベルト２２から紙幣に加わる搬送力および姿勢変換ガイド２３から紙幣に加わる摩擦力(搬送抵抗力)は、紙幣の幅方向の位置により異なる。そして、先に提案された姿勢変換装置においては、図１３に示すように、姿勢変換ガイド２３はその全面が平滑であって、搬送ベルト２２と姿勢変換ガイド２３の間の隙間が均一であった。そのため、幅方向両側部分における搬送抵抗力は幅方向中央部分における搬送抵抗力よりも大きいので、紙幣の幅方向両側部分に皺が発生することがあり、その皺が発生した部分は搬送ベルト２２の第２ブーリ２１の外周に巻回されている部位を通過する際に皺が圧縮されて永久変形し、紙幣に残存することとなる。そのため、紙幣の腰が強化される。したがって、皺で腰が強化された紙幣が紙幣排出部３０の上下一対の湾曲ガイド３１，３２の間を通過することが困難になったり、通過できてもカール状態が残るので、金庫Ｃの中に整然と収容されない事態が発生する虞があった。
【００３８】
しかしながら、本発明における姿勢変換ガイド２３には、その紙幣搬送方向後半部における幅方向中央、好ましくは押えローラ２４よりも上流側の位置に、搬送ベルト２２と姿勢変換ガイド２３の間の隙間を一定の面積において狭くするように搬送ベルト側に突出する突起部２５が形成されている。ツイスト搬送される紙幣の先端が突起部２５を円滑に乗り越えることができるように、突起部２５の先端にテーパー２５ａが形成されることが望ましい。
【００３９】
この突起部２５が存在することにより、搬送ベルト２２と姿勢変換ガイド２３の間の隙間は、幅方向両側部分においては先の提案に係る姿勢変換装置における搬送ベルト２２と姿勢変換ガイド２３の間の隙間と等しいか、それよりもわずかに大きく、幅方向中央部分においては幅方向両側部分における隙間よりも狭くされている。したがって、ツイスト搬送される紙幣の幅方向中央部分は搬送ベルト２２と突起部２５の間で押えられているので、その紙幣の幅方向両側部分が姿勢変換ガイド２３から受ける搬送抵抗力と搬送ベルトからの搬送力により幅方向中央に向けて圧縮しようとしても圧縮できない。したがって、紙幣の幅方向両側部分に皺が発生することが防止される。こうして、姿勢変換部２０の末端からは姿勢が横に変換された皺のない紙幣が紙幣排出部３０に送り込まれる。
【００４０】
したがって、横になった紙幣は紙幣排出部３０内を円滑に通過し、排出口３４から皺や曲がりの無い紙幣Ｎが排出されるので、金庫Ｃの上面開口から正常な姿勢で収容され、嵩張らずに整然と堆積されることが可能である。
【００４１】
搬送ベルト２２は、押えローラ１１と同じ側に９０度捻られてもよい。この場合は、姿勢変換ガイド２３は搬送ベルト２２の下側において同じ側に捻られる。
【符号の説明】
【００４２】
Ａ    紙幣の姿勢変換装置
１０  紙幣受入部
１１  押えローラ
１２  第１プーリ
２０  姿勢変換部
２１  第２プーリ
２２  搬送ベルト
２３  姿勢変換ガイド
２４  押えローラ
２５  突出部
３０  紙幣排出部
３１，３２  湾曲ガイド
３３  搬送手段(搬送ローラ)
３４  排出口
４０  駆動部
Ｂ    紙幣搬送部
Ｃ    金庫
【図１】
2014149702.tif 000003
【図２】
2014149702.tif 000004
【図３】
2014149702.tif 000005
【図４】
2014149702.tif 000006
【図５】
2014149702.tif 000007
【図６】
2014149702.tif 000008
【図７】
2014149702.tif 000009
【図８】
2014149702.tif 000010
【図９】
2014149702.tif 000011
【図１０】
2014149702.tif 000012
【図１１】
2014149702.tif 000013
【図１２】
2014149702.tif 000014
【図１３】
2014149702.tif 000015